(57)【要約】      （修正有）【課題】カードキー施錠機構とテンキー操作部とが一体となった錠前装置をコンパクトで且つ簡易な構成に形成することができ、カードキーが錠前装置に差し込まれているか否かを確実且つ容易に確認できる把手を形成する。【解決手段】カードキーの挿入によってシリンダー錠１１におけるラッチ１０の係止を解除し施錠を可能にするカードキー施錠機構Ｑと、押圧操作によってロックレバーをラッチ１０の係合部から係合解除方向に退避して施錠を可能にするテンキー操作部Ｋ３と、挿入したカードキーを視認可能とした扉体開閉操作用の透視窓付き把持部Ｐ２とを錠前装置の前面に配してなる。また、透視窓付き把持部Ｐ２は、差し込んだカードキーを視認可能とするアクリル製もしくはガラス製の透明窓の窓口内側板を凹ませて把手構造とする。【選択図】図１
0003129598.tif 000002
【実用新案登録請求の範囲】
【請求項１】
カードキーの挿入によってシリンダー錠におけるラッチの係止を解除し施錠を可能にするカードキー施錠機構と、押圧操作によってロックレバーをラッチの係合部から係合解除方向に退避させて施錠を可能にするテンキー操作部と、挿入されたカードキーを視認可能とした扉体開閉操作用の透視窓付き把持部とを錠前装置の前面に各配してなることを特徴とするカードキー・テンキー式錠前装置。
【請求項２】
透視窓付き把持部は、差し込まれたカードキーを視認可能とするアクリル製もしくはガラス製の透明窓の窓口内側板を凹ませて把手構造としてなる請求項１記載のカードキー・テンキー式錠前装置。
【考案の詳細な説明】
【技術分野】
【０００１】
本考案は、専用のカードのみならず、クレジットカードや定期券カード等の一般のカード類を使用することを可能にし、且つ非常解錠後の再度施錠時に、テンキーを操作して消去した電気信号記録を入力不要とした低コストで且つ簡易な構造によるカードキー・テンキー式錠前装置に関する。
【背景技術】
【０００２】
従来、テンキーによる錠前装置やカードキーによる錠前装置それぞれは、周知の技術である。また、錠前装置の前面にシリンダー錠や操作用の把手部を設けることも周知の技術である。
【０００３】
また、従来におけるカードキー式錠前装置としては、本出願人自身によって出願され、特許登録となった特許文献１に開示されている技術がある。
【０００４】
すなわち、このカードキー式錠前装置は、無施錠時には、作動板がベースプレートの収納凹部内においてスプリングにより回動付勢されて先端側が所要角度立ち上がっているため、開口部のカードキーストッパはベースプレートの孔の上面側に位置していてカードキー差込口から退去している。
【０００５】
このとき、シリンダー錠のラッチの係合ピンは作動板の開口部に設けられたガイド片の係合凹部に弾圧状態で係合され、さらに錠係止板はスプリングにより付勢されてスライド溝の前端側へ移行し、先端のピンストッパがベースプレートの長孔の先端から上方へ貫通突出していてシリンダー錠の係合ピンを係止しているため、キー操作によるシリンダー錠のラッチの回動を阻止している。
【０００６】
このような状態において、カードキーをカードキー差込口から差し込んでケーシングの底部上のベースプレートの凹部内へ収納するが、このときカードキーの後端縁が錠係止板後端の係止片に当接して当該錠係止板をベースプレートのスライド溝内をスプリングのバネ力に抗して後退させるため、先端のピンストッパも長孔内を後退し、シリンダー錠の係合ピンに対する係止を解除する。
【０００７】
そこで、シリンダー錠の錠孔に差し込んだキーを回動させると、ラッチの係合ピンが錠取付プレートのガイド孔に沿って移動するのに伴い、作動板のガイド片の凹部を摺動して当該作動板を押圧回動させつつラッチを約９０度回動してケーシングから突出しケース体の凹部内へ嵌入する。これによって扉板はケース体へ閉成状態に施錠ロックされる。
【０００８】
カードキーとして専用カードキーを使用するときは、ベースプレート後部のフレームの嵌合凹部へガイドピースを嵌合しておく。これにより、専用カードキーがケーシングの底板上においてベースプレートの凹部内へ収納されたとき、当該カードキー後端縁に設けられた凹部が上記ガイドピースの半球状の係合体内へ係合するため、錠係止板はシリンダー錠が施錠可能な状態まで後退する。
【０００９】
カードキーとして一般のカードキー（クレジットカード、定期券カード等）を使用するときは、ベースプレート後部のフレームの嵌合凹部に嵌合したガイドピースを外しておく。これにより、カードキーがケーシングの底板上においてベースプレートの凹部内へ収納されたとき、当該カードキー後端縁がフレーム内側へ当接するため、錠係止板はシリンダー錠が施錠可能な状態まで後退する。
【００１０】
而して、シリンダー錠が施錠ロックした状態のとき、ラッチの係合ピンは作動板を下側へ押圧保持していてそのカードキーストッパがベースプレートの孔を挿通してカードキー差込口内へ突出しているため、内部のカードキーの取り出しおよび新たなカードキーの差し込みはいずれも阻止される。
【特許文献１】特許第３６９２２５０号公報
【考案の開示】
【考案が解決しようとする課題】
【００１１】
しかしながら、従来においては、特許文献１に示すようなカードキー式錠前装置が存在するものの、カードキー施錠機構とテンキー操作部とが一体となった錠前装置は未だ存在していないのが実状である。また、従来では、カードキーが錠前装置に差し込まれているか否かを確実に且つ容易に確認することができなかった。
【００１２】
そこで、本考案は、叙上のような従来存した諸事情に鑑み案出されたもので、カードキー施錠機構とテンキー操作部とが一体となった錠前装置がコンパクトで且つ簡易な構成で形成することができ、また、カードキーが錠前装置に差し込まれているか否かを確実に且つ容易に確認することができる把手を備えたカードキー・テンキー式錠前装置を提供することを目的とする。
【課題を解決するための手段】
【００１３】
上述した課題を解決するため、本考案にあっては、カードキーの挿入によってシリンダー錠におけるラッチの係止を解除し施錠を可能にするカードキー施錠機構と、押圧操作によってロックレバーをラッチの係合部から係合解除方向に退避させて施錠を可能にするテンキー操作部と、挿入されたカードキーを視認可能とした扉体開閉操作用の透視窓付き把持部とを錠前装置の前面に各配してなることを特徴とする。
【００１４】
透視窓付き把持部は、差し込まれたカードキーを視認可能とするアクリル製もしくはガラス製の透明窓の窓口内側板を凹ませて把手構造としてなる。
【考案の効果】
【００１５】
本考案によれば、カードキー施錠機構とテンキー操作部とが一体となった錠前装置がコンパクトで且つ簡易な構成で形成することができる。
【００１６】
また、透視窓付き把持部は、差し込まれたカードキーを視認可能とする透明窓の窓口内側板を凹ませて把手構造としたことにより構成されているので、透視窓付き把持部によって扉体の開閉操作がスムーズに行えると同時に、カードキーが錠前装置に差し込まれているか否かを透明窓を介して確実に且つ容易に確認することができる。
【考案を実施するための最良の形態】
【００１７】
以下、図面を参照して本考案を実施するための最良の一形態を説明する。
本考案に係るカードキー・テンキー式錠前装置（以後、装置本体と称す）は、ケーシング１と、ベースプレート２と、錠取付プレート３と、カードキー１６の抜止め用の作動板４と、錠係止板５と、ソレノイド３１と、ロックレバー３７と、リンクレバー４４と、上下一対のスイッチＳＷ１、ＳＷ２と、係合ピン９を突設したラッチ１０を有するシリンダー錠１１と、ガイドピース１５とを主要構成部材としている。
【００１８】
上記装置本体は、図４および図５に示すように、硬質プラスチックを素材として、前面板１ａ、後面板１ｂ、左右の側面板１ｃ、１ｃおよび底面板１ｄにより上面に開口部１ｅを設けた矩形箱形状に形成されて成るケーシング１の開口部１ｅ側に、図１に示すように、上側にテンキー操作部Ｋ３用の窓部Ｐ１を備え、下側にシリンダー錠１１に隣接して、カードキー施錠機構Ｑのカードキー差込口と、カードキー１６を視認できるようにした透視窓付き把持部Ｐ２とを備えたカバーＰによって被蓋されて成る。
【００１９】
この透視窓付き把持部Ｐ２は、図１に示すように、差し込まれたカードキー１６を視認可能とするよう例えばアクリル製もしくはガラス製の透明窓の窓口内側板に、手指が入る程度の深さの凹溝状となった把手Ｐ３が形成されている。そして、このようにして差し込まれたカードキー１６はその真上に設けられた透明窓を透してカードキー上に記載された印刷面の詳細まではっきりと確認できる上に、その凹部側面を利用して手を入れ易いように横向きの凹みからなる把手Ｐ３を形成することができる。
尚、操作部用窓部Ｐ１と透視窓付き把持部Ｐ２との間には、施錠操作手順が記載されたラベルＲ１が付設されている。
【００２０】
また、ケーシング１の底面板１ｄ側には、図３に示すように、電池カバーＳ１と、リセット用のキー孔Ｓ２と、カードキー１６の挿入操作の注意事項が記載されたラベルＲ２が付設されている。
【００２１】
そして、図２に示すように、扉板６の錠前取付所定位置に形成された矩形開口部６ａに内側から装着し、ケーシング１の底面板１ｄの周縁に突設した不図示の取付用ねじ孔部を介して扉体６の矩形開口部にねじで固定される。
【００２２】
図４および図５に示したように、ケーシング１の前面板１ａにはシリンダー錠１１のラッチ１０およびカードキー１６が出入りできるように半欠の切欠き１ｆとカードキー差込口を形成するための完欠の切欠き１ｇとを連設してある。底面板１ｄには、その周縁にベースプレート２、錠取付プレート３および扉板６の不図示の取付用ねじ孔部を突設すると共に、上記切欠き1ｇ後方にカードキー１６の差し込みとその保持のため前端を薄く後端に向って漸次厚くなるようにテーパ１ｉに形成してある。
【００２３】
上記ベースプレート２は、図４および図５に示したように、硬質プラスチック材を素材として、その下面前部において上記ケーシング１前面板１ａの切欠き１ｇおよび底面板１ｄのテーパ１ｉと対応するようにテーパ２ａを形成したカードキー係止板２ｂを突設し、その後方および左右両側に略コ字形状のフレーム２ｃ、２ｄ、２ｅを突設することによりカードキー収納部２ｆを形成し、且つカードキー収納部２ｆの収納方向（フレーム２ｄ）に沿って錠係止板５のスライド溝２ｇを形成してある。このスライド溝２ｇは、前方底壁が抜けて長孔２ｈとなっており、その後方両側にはスプリング７の収納凹部２ｉを形成してある。上記したフレーム２ｄ、２ｅの対向側は各々切欠かれており、スライド溝２ｇと連通するように錠係止板５後端の可動凹所２ｊを形成してある。
【００２４】
また、上記フレーム２ｃの略中央部と左右両側との上端には、図９および図１０に示すように、後述するガイドピース用の、内方より外方へ拡がったテーパ状の嵌合凹部２ｋを形成してある。
【００２５】
一方、上記ベースプレート２は、その上面前方に作動板４の収納凹部２ｌを形成してある。この収納凹部２ｌ上方の前後方向に上記した長孔２ｈが位置しており、該長孔２ｈに隣接して平面Ｌ字型のガイド突起２ｍが突設されている。また、この収納凹部２ｌの上部後方にバネ掛け２ｎが突設してあり、且つ前方の略中央に作動板４のカードキーストッパ出入用の孔２ｏを穿設してある。
【００２６】
図中２ｐはベースプレート２の収納凹部２ｌの後方に開設された窓穴、２ｑはこの窓穴２ｐの上面周縁に形成された透明な遮蔽板８の嵌合凹部、２ｒ…はベースプレート２の周縁に上記したケーシング１の取付用ねじ孔部１ｈ…と対応して穿設されたねじ孔を各々示す。
【００２７】
上記錠取付プレート３は図４に示したように、金属板よりなり、前方上面の略中央部に、下面に係合ピン９を突設したラッチ１０を有するシリンダー錠１１を垂直に植設してある。また、上記錠取付プレート３の前方には、シリンダー錠１１のキー操作によってラッチ１０が９０度回動するように係合ピン９挿通用の弧状のガイド孔３ａ（図８参照）が、後方には上記ベースプレート２の窓穴２ｐと対応する位置に窓穴３ｂが各開設してある。
【００２８】
上記作動板４は図４および図５に示したように、金属板よりなり、上方およびその下部前方寄りに大小の開口部４ａ、４ｂを各穿設させてあり、大きい開口部４ａの上方には、シリンダー錠１１におけるラッチ１０の係合ピン９が係合する係合凹部４ｃを備えたガイド片４ｄを横方向へ連設してあり、一方、小さい開口部４ｂには、その前端縁を下側へ直角に折曲することでベースプレート２の孔２ｏに出入りするカードストッパ４ｅを突設してある。また、作動板４の上部後端には、ベースプレート２のバネ掛け２ｎに対向するようにバネ掛け４ｆを上方に直角に折曲することで突設してある。この作動板４のバネ掛け４ｆとベースプレート２のバネ掛け２ｎ間にバネ１２を掛け止めすることにより、作動板４は、ベースプレート２上面の収納凹部２ｌにおいて上記シリンダー錠１１の施錠操作により後方へ回動自在に上記バネ１２にて前方へ回動付勢されつつ保持させてある。
【００２９】
上記錠係止板５は図９および図１０に示したように、金属板よりなり、先端上方に、シリンダー錠１１におけるラッチ１０の係合ピン９を係止するピンストッパ５ａが、後端にカードキー用の係止片５ｂが上記カードキー収納部２ｆ側へ略直角に折曲することにより各形成してある。また、この錠係止板５の略中央部には、長手方向へスプリング７挿入用の長孔５ｃを穿設してある。
【００３０】
図中１３はケーシング１の切欠き１ｇとベースプレート２のカードキー係止板２ｂ間に形成されたカードキーの差入口、１４はシリンダー錠１１のラッチ１０が嵌入するケース体、１５は上記ベースプレート２後方のフレーム２ｃの嵌合凹部２ｋに脱着自在に嵌合するガイドピースを各示す。
【００３１】
また、錠取付プレート３上面には、図６および図７に示すように、シリンダー錠１１に隣接してソレノイド３１がロック機構ベース３０を介して取り付けられている。このソレノイド３１は、可動軸３２がスプリング３３を介して挿入されており、通電による電磁力によって可動軸３２がスプリング３３の弾性力に抗してソレノイド３１内に吸引退避されるものである。そして、当該可動軸３２の先端にはスプリング３３を係止するようにして直角に連結バー３４が嵌着され、該連結バー３４の一端は、錠取付プレート３上においてロック機構ベース３０の起立側面から突出した支軸３５に挿通されて揺動自在とされたソレノイドレバー３６の一端の孔部に回動可能に装着されている。
【００３２】
また、上記支軸３５には、ソレノイドレバー３６に隣接してアーム状のロックレバー３７の基端側の孔部が回動可能に装着され、このロックレバー３７の基端側にＬ字状に折曲形成された作動片３８を、ソレノイドレバー３６の略中央に穿設した幅広な矩形開口状の係止孔部３６ａに任意のガタを持たせて挿入した状態とし、支軸３５に側面からＣリング状の止め輪３９を嵌め込むことによって係止されている。
【００３３】
このロックレバー３７の先端にはＬ字片状のロック片３７ａが形成されており、当該ロックレバー３７が支軸３５の廻りに回動されることによって、ラッチ１０の左右いずれかに形成されている切欠き状の係合部１０ａに係架される。
【００３４】
このとき、ソレノイドレバー３６とロックレバー３７との間における支軸３５には、つるまきバネ４０が巻挿され、該つるまきバネ４０の一端は、ロックレバー３７の基端側に架けられ、他端はソレノイドレバー３６の係止孔部３６ａの内縁部に架けられることにより、作動片３８を係止孔部３６ａの内縁部に常時圧接させている。したがって、ロックレバー３７先端側のＬ字片状のロック片３７ａは、ラッチ１０側に向けて常時付勢されている。
【００３５】
また、図６、図７に示すように、ラッチ１０の９０度回転域範囲内においてシリンダー錠１１の上側（解錠）位置と左側（施錠）位置とには、ソレノイド３１通電入力用のスイッチＳＷ１、ＳＷ２がそれぞれ配置されており、ラッチ１０が解錠方向または施錠方向に回転したときには、上側（解錠）位置または左側（施錠）位置のスイッチＳＷ１、ＳＷ２がＯＮ状態となってソレノイド３１を通電させ、電磁力によって可動軸３２がスプリング３３の弾性力に抗してソレノイド３１外に伸長されることでソレノイドレバー３６を介してロックレバー３７のロック片３７ａをラッチ１０の係合部１０ａに係架させる。これによって、ラッチ１０の回転が阻止され、再びキーをシリンダー錠１１に差し込んで廻してもテンキーを解錠操作しない限り、ラッチ１０の切欠き状の係合部１０ａに対するロックレバー３７のロック片３７ａによる係止は維持されるため解錠はできない。
【００３６】
また、図７、図８に示すように、シリンダー錠１１のキー挿入孔の内奥中央部から錠取付プレート３にかけては、リンクレバーピン４１が不図示のバネで付勢された状態で嵌挿され、錠取付プレート３下面側に互いに対向して配置された軸支板４２に支軸４３を介して回動可能に枢着されたリンクレバー４４の一辺側に突設した一対のアーム片４５にリンクレバーピン４１の先端側が咬持されている。そして、リンクレバー４４の端部には押片部４４ａが突設され、ロックレバー３７の基端側にある三角突起状の係架部３７ｂを当該押片部４４ａによって押圧することで、ロックレバー３７先端側のロック片３７ａを、ラッチ１０の係合部１０ａから係合解除方向に退避させる。
【００３７】
次に、以上のように構成された最良の形態についての使用、動作の一例について説明する。
【００３８】
先ず、カードキー１６の挿入とテンキー操作部Ｋ３の操作による通常使用時の場合について説明する。透視窓付き把持部Ｐ２の側面に設けられた把手Ｐ３に手指を横向きに入れて扉板６を開け、物品をロッカー内に収納し、装置本体のカードキー１６の差込口にカードキー１６を挿入する。このとき、透視窓付き把持部Ｐ２の透明窓を通して、差込口にカードキー１６が確実に挿入されたか否かを確認する。同時に、カードキー１６の表面に記載された印刷面を視認することにより当該カードキー１６の種類その他も確認できる。
【００３９】
カードキー１６が挿入されると、図９および図１０に示すように、カードキー１６後端部中央の係合凹部１６ａがガイドピース１５の係合体１５ｂに係合すると同時に、カードキー１６の後端縁が錠係止板５後端の係止片５ｂに当接して当該錠係止板５をベースプレート２のスライド溝２ｇ内をスプリング７のバネ力に抗して後退させるため、先端のピンストッパ５ａも長孔２ｈ内を後退し、シリンダー錠１１の係合ピン９に対する係止を解除する。また、この状態でのソレノイド３１の可動軸３２は伸長状態となっていて、ラッチ１０はロックレバー３７によって係止されている。
【００４０】
図１に示すテンキー操作部Ｋ３を４桁押した後、入力ボタンを押すと、ソレノイド３１の可動軸３２が退避してロックレバー３７先端のロック片３７ａがロック解除位置まで上がる。このためラッチ１０はロック片３７ａによる係止が解除されてフリーな状態となる。
【００４１】
差し込まれている通常使用キーをそのまま左側へ廻し、ラッチ１０を９０度廻して施錠する。これによって扉板６はロックされるが、このラッチ１０を左側へ廻した際に、下側に位置するスイッチＳＷ１の接点が押されてＯＮ状態となり、再びソレノイド３１の可動軸３２は伸長状態となってロックレバー３７先端のロック片３７ａがロック位置まで下がる。このため、ラッチ１０はそのままロック片３７ａによって係合固定されて施錠状態を維持する。
【００４２】
通常使用キーを引き抜いた後の物品を保管中は勿論、再び当該キーを差し込んで廻してもテンキー操作部Ｋ３を解錠操作していないため、ラッチ１０の切欠き状の係合部１０ａに対するロックレバー３７のロック片３７ａによる係止は維持されるため解錠はできない。
【００４３】
そこで、再びテンキー操作部Ｋ３を押して入力ボタンを押すことにより、ソレノイド３１の可動軸３２が退避してロックレバー３７のロック片３７ａがロック解除位置まで上がり、ラッチ１０に対する係止が外れる。この状態で通常使用キーを右へ９０度廻すことでラッチ１０による扉板６の施錠状態から解錠状態へ移行する。
【００４４】
このようにしてラッチ１０を９０度右へ廻した際に、上側に位置するもう一つのスイッチＳＷ２の接点が押されてＯＮ状態となり、再びソレノイド３１の可動軸３２は伸長状態となってロックレバー３７先端のロック片３７ａがロック位置まで下がる。したがって、ラッチ１０はロック片３７ａによって係止され、この状態で施錠を行うことは、テンキー操作部Ｋ３を解錠操作しない限りできなくなる。
【００４５】
次に、長尺マスターキーの差し込みによる非常解錠時の場合について説明する。先ず、図７および図８に示すように、キー挿入孔へ通常キーを差し込んでもキー先端はリンクレバーピン４１に接触せずに、リンクレバー４４の押片部４４ａはロックレバー３７の基端側にある三角突起状の係架部３７ｂを押圧しない。したがって、ロックレバー３７先端側のロック片３７ａによるラッチ１０の係合部１０ａの係止は維持され、解錠が不可能な状態となったままである。
【００４６】
一方、非常解錠の際に、若干先端が突出しているマスターキーがキー挿入孔へ差し込まれた際には、キー先端はリンクレバーピン４１を押圧してリンクレバー４４を揺動させる。そして、ロックレバー３７の基端側にある三角突起状の係架部３７ｂがリンクレバー４４の押片部４４ａによって押圧され、これによってロックレバー３７先端側のロック片３７ａは、ラッチ１０の係合部１０ａから係合解除方向に退避させられる。したがって、マスターキーを使ってのラッチ１０の回転が許容されて解錠が可能となる。
【図面の簡単な説明】
【００４７】
【図１】本考案に係るカード式錠前装置の実施の一形態を示す正面図である。
【図２】図１のＸ−Ｘ断面図である。
【図３】同じくカード式錠前装置の背面図である。
【図４】同じくカード式錠前装置の断面図である。
【図５】専用カードキーの一部と作動板付のベースプレートを示す平面図である。
【図６】同じく錠取付プレートを示す平面図である。
【図７】図５中のＹ−Ｙ断面図である。
【図８】図６中のＺ−Ｚ断面図である。
【図９】専用カードキーの動作前を示す説明図である。
【図１０】同じく専用カードキーの動作後を示す説明図である。
【符号の説明】
【００４８】
Ｐ１              操作部用窓部
Ｐ２              透視窓付き把持部
Ｐ３              把手
Ｐ                カバー
Ｋ３              テンキー操作部
Ｑ                カードキー施錠機構
Ｒ１、Ｒ２        ラベル
Ｓ１              電池カバー
Ｓ２              リセット用のキー孔
１                ケーシング
１ｄ              底面板
１ｅ              開口部
２                ベースプレート
２ｂ              カードキー係止板
２ｃ、２ｄ、２ｅ  フレーム
２ｆ              カードキー収納部
２ｇ              スライド溝
２ｈ              長孔
２ｊ              可動凹所
２ｌ              収納凹部
２ｎ              バネ掛け
２ｍ              ガイド突起
２ｏ              孔
２ｐ              窓孔
２ｋ              嵌合凹部
３                錠取付プレート
４                作動板
４ｃ              係合凹部
４ｄ              ガイド片
４ｅ              カードキーストッパ
５                錠係止板
５ａ              ピンストッパ
５ｂ              係止片
６                扉板
６ａ              矩形開口部
７                スプリング
９                係合ピン
１０              ラッチ
１０ａ            係合部
１１              シリンダー錠
１２              バネ
１５              ガイドピース
１５ａ            脚
１５ｂ            係合体
１６              カードキー
１６ａ            係合凹部
２１              開口部
２２              ガイドピースカバー
２３              ねじ
３１              ソレノイド
３２              可動軸
３３              スプリング
３４              連結バー
３５              支軸
３６              ソレノイドレバー
３６ａ            係止孔部
３７              ロックレバー
３７ａ            ロック片
３８              作動片
３９              止め輪
【図１】
0003129598.tif 000003
【図２】
0003129598.tif 000004
【図３】
0003129598.tif 000005
【図４】
0003129598.tif 000006
【図５】
0003129598.tif 000007
【図６】
0003129598.tif 000008
【図７】
0003129598.tif 000009
【図８】
0003129598.tif 000010
【図９】
0003129598.tif 000011
【図１０】
0003129598.tif 000012